(57)【要約】【課題】迅速な救急対応と、高いセキュリティレベルの維持とを両立させることができる情報処理方法、情報処理装置及び情報処理システムを提供する。【解決手段】生体情報受信部２１１は、住居内にいる対象者の生体情報と、対象者がいる位置を示す位置情報とを取得し、安否確認判断部２３１は、生体情報に基づいて、対象者の安否確認が必要であるか否かを判断し、緊急信号送信部２１２は、対象者の安否確認が必要であると判断した場合、記憶部２２を参照し、取得した位置情報で示される対象者の位置の近傍にいる少なくとも１の駆けつけ候補者の所有する端末装置へ、対象者の位置を含むとともに対象者の安否確認を要請するための緊急信号を送信し、パスワード発行依頼信号送信部２１５は、鍵管理装置へ、少なくとも１の駆けつけ候補者が電気錠を解錠するためのパスワードの発行を依頼するパスワード発行依頼信号を送信する。【選択図】図３
2019185189.tif 000002
【特許請求の範囲】
【請求項１】
コンピュータが、
住居内にいる対象者の生体情報と、前記対象者がいる位置を示す位置情報とを取得し、
取得した前記生体情報に基づいて、前記対象者の安否確認が必要であるか否かを判断し、
前記対象者の安否確認が必要であると判断した場合、複数の駆けつけ候補者の各々が所有する前記端末装置の連絡先を示す連絡先情報と、前記複数の駆けつけ候補者の各々がいる位置を示す位置情報とを対応付けて記憶する記憶部を参照し、取得した前記位置情報で示される前記対象者の位置の近傍にいる少なくとも１の駆けつけ候補者の所有する前記端末装置へ、前記対象者の前記位置を含むとともに前記対象者の安否確認を要請するための緊急信号を送信し、
前記住居に入る扉に設置された電気錠を解錠するためのパスワードを管理する鍵管理装置へ、前記少なくとも１の駆けつけ候補者が前記電気錠を解錠するための前記パスワードの発行を依頼するパスワード発行依頼信号を送信する、
情報処理方法。
【請求項２】
さらに、前記対象者の位置へ駆けつけることが可能な少なくとも１の駆けつけ候補者の前記端末装置によって送信された、前記少なくとも１の駆けつけ候補者が前記対象者の位置へ駆けつけることが可能であることを示す少なくとも１の駆けつけ可能信号を受信し、
さらに、受信した前記少なくとも１の駆けつけ可能信号に基づいて、前記少なくとも１の駆けつけ候補者のうちの１の駆けつけ候補者を、前記住居に駆けつける駆けつけ者に決定し、
さらに、決定した前記１の駆けつけ候補者の前記端末装置へ、前記駆けつけ者に決定したことを通知するための決定通知信号を送信し、
前記パスワード発行依頼信号の送信は、前記１の駆けつけ候補者が前記電気錠を解錠するための前記パスワードの発行を依頼する前記パスワード発行依頼信号を前記鍵管理装置へ送信する、
請求項１記載の情報処理方法。
【請求項３】
さらに、決定した前記１の駆けつけ候補者の前記端末装置から、前記１の駆けつけ候補者が前記対象者の位置に到着したことを通知するための到着通知信号を受信し、
さらに、前記到着通知信号を受信した場合、決定した前記１の駆けつけ候補者の前記端末装置の前記連絡先情報を前記鍵管理装置へ送信する、
請求項２記載の情報処理方法。
【請求項４】
前記駆けつけ可能信号は、前記駆けつけ候補者が前記対象者の位置に到着するまでの到着予定時間を含み、
前記１の駆けつけ候補者の決定は、前記駆けつけ可能信号を送信した前記少なくとも１の駆けつけ候補者のうち、前記到着予定時間が最も短い前記１の駆けつけ候補者を前記駆けつけ者に決定する、
請求項２記載の情報処理方法。
【請求項５】
前記１の駆けつけ候補者の決定は、前記駆けつけ可能信号を送信した前記少なくとも１の駆けつけ候補者のうち、前記駆けつけ候補者の位置と前記対象者の位置との間の距離が最も短い前記１の駆けつけ候補者を前記駆けつけ者に決定する、
請求項２記載の情報処理方法。
【請求項６】
さらに、前記対象者が前記住居内にいるか否かを判断し、
前記緊急信号の送信は、前記対象者が前記住居内にいないと判断した場合、前記緊急信号を送信しない、
請求項１〜５のいずれか１項に記載の情報処理方法。
【請求項７】
さらに、前記対象者が前記住居内にいるか否かを判断し、
前記対象者の安否確認が必要であるか否かの判断は、前記対象者が前記住居内にいないと判断した場合、前記対象者の安否確認が必要であるか否かを判断しない、
請求項１〜５のいずれか１項に記載の情報処理方法。
【請求項８】
さらに、前記住居内に設置されたカメラから、前記住居内を撮影した画像を取得し、
前記生体情報の取得は、前記住居内に設置された、非接触で前記生体情報を測定する生体情報測定装置から前記生体情報を取得し、
前記対象者が前記住居内にいるか否かの判断は、取得した前記画像に前記対象者が含まれておらず、かつ前記生体情報測定装置により前記生体情報が測定されない場合、前記対象者が前記住居内にいないと判断する、
請求項６又は７記載の情報処理方法。
【請求項９】
住居内にいる対象者の生体情報と、前記対象者がいる位置を示す位置情報とを取得する取得部と、
取得された前記生体情報に基づいて、前記対象者の安否確認が必要であるか否かを判断する判断部と、
複数の駆けつけ候補者の各々が所有する前記端末装置の連絡先を示す連絡先情報と、前記複数の駆けつけ候補者の各々がいる位置を示す位置情報とを対応付けて記憶する記憶部と、
前記対象者の安否確認が必要であると判断された場合、前記記憶部を参照し、取得された前記位置情報で示される前記対象者の位置の近傍にいる少なくとも１の駆けつけ候補者の所有する前記端末装置へ、前記対象者の前記位置を含むとともに前記対象者の安否確認を要請するための緊急信号を送信する第１送信部と、
前記住居に入る扉に設置された電気錠を解錠するためのパスワードを管理する鍵管理装置へ、前記少なくとも１の駆けつけ候補者が前記電気錠を解錠するための前記パスワードの発行を依頼するパスワード発行依頼信号を送信する第２送信部と、
を備える情報処理装置。
【請求項１０】
生体情報測定装置と、情報処理装置と、端末装置と、鍵管理装置と、錠装置とを備える情報処理システムであって、
前記生体情報測定装置は、
住居内にいる対象者の生体情報を測定する生体情報測定部と、
前記対象者がいる位置を示す位置情報を測定する位置測定部と、
測定された前記生体情報と、測定された前記位置情報とを前記情報処理装置へ送信する送信部と、
を備え、
前記情報処理装置は、
前記生体情報測定装置によって送信された前記生体情報及び前記位置情報を受信する受信部と、
受信された前記生体情報に基づいて、前記対象者の安否確認が必要であるか否かを判断する判断部と、
複数の駆けつけ候補者の各々が所有する前記端末装置の連絡先を示す連絡先情報と、前記複数の駆けつけ候補者の各々がいる位置を示す位置情報とを対応付けて記憶する記憶部と、
前記対象者の安否確認が必要であると判断された場合、前記記憶部を参照し、取得された前記位置情報で示される前記対象者の位置の近傍にいる少なくとも１の駆けつけ候補者の所有する前記端末装置へ、前記対象者の前記位置を含むとともに前記対象者の安否確認を要請するための緊急信号を送信する第１送信部と、
前記住居に入る扉に設置された電気錠を解錠するためのパスワードを管理する鍵管理装置へ、前記少なくとも１の駆けつけ候補者が前記電気錠を解錠するための前記パスワードの発行を依頼するパスワード発行依頼信号を送信する第２送信部と、
を備え、
前記端末装置は、
前記情報処理装置によって送信された前記緊急信号を受信する第１受信部と、
前記第１受信部によって受信された前記緊急信号に含まれる前記対象者の位置を提示する第１提示部と、
前記鍵管理装置によって送信された前記パスワードを受信する第２受信部と、
前記第２受信部によって受信された前記パスワードを提示する第２提示部と、
を備え、
前記鍵管理装置は、
前記情報処理装置によって送信された前記パスワード発行依頼信号を受信する第１受信部と、
前記電気錠を解錠するための前記パスワードを発行するパスワード発行部と、
前記少なくとも１の駆けつけ候補者の前記端末装置へ、前記パスワード発行部によって発行された前記パスワードを送信する第１送信部と、
前記錠装置によって送信された前記パスワードを受信する第２受信部と、
前記第２受信部によって受信された前記パスワードが、前記パスワード発行部によって発行された前記パスワードと一致するか否かを判断する判断部と、
前記判断部による判断結果を前記錠装置へ送信する第２送信部と、
を備え、
前記錠装置は、
前記電気錠と、
前記少なくとも１の駆けつけ候補者のうちの１の駆けつけ候補者による前記パスワードの入力を受け付けるパスワード入力受付部と、
前記パスワード入力受付部によって受け付けられた前記パスワードを前記鍵管理装置へ送信する送信部と、
前記鍵管理装置によって送信された前記判断結果を受信する受信部と、
前記受信部によって受信された前記判断結果が、前記パスワード入力受付部によって受け付けられた前記パスワードが、前記パスワード発行部によって発行された前記パスワードと一致するという判断結果である場合、前記電気錠を解錠する解錠部と、
を備える、
情報処理システム。
【発明の詳細な説明】
【技術分野】
【０００１】
本開示は、住居内にいる対象者の安否確認を駆けつけ候補者に対して要請する情報処理方法、情報処理装置及び情報処理システムに関するものである。
【背景技術】
【０００２】
心臓の異常が原因となって死に至る心臓突然死は、発症から１時間以内に死亡する場合が多く、今後、高齢者の増加とともに増えると予測されている。特に、宅内での心停止の発見は困難であり、例えば、宅内での心停止後の蘇生率は、マラソン中の心停止後の蘇生率よりも遙かに低いと言われている。
【０００３】
また、宅内での人物の心停止を検知し、救助者が駆けつけたとしても、家には鍵が掛かっており、救助者が家の中に入るのが困難な場合がある。
【０００４】
そこで、例えば、特許文献１には、住居内の対象者について、健康上の異常に基づいて出力された緊急信号をバイタルサインセンサから受信し、対象者の健康上の異常、対象者の携帯情報端末の所在地、及び扉を解錠するための緊急用暗証番号を、住居外の所定の管理者の端末に電子メールで通知する安否確認システムが開示されている。
【先行技術文献】
【特許文献】
【０００５】
【特許文献１】特開２０１５−１５８８９２号公報
【発明の概要】
【発明が解決しようとする課題】
【０００６】
しかしながら、上記従来の技術では、高いセキュリティレベルを維持しながら、迅速に救急対応することができず、更なる改善が必要とされていた。
【０００７】
本開示は、上記の問題を解決するためになされたもので、迅速な救急対応と、高いセキュリティレベルの維持とを両立させることができる情報処理方法、情報処理装置及び情報処理システムを提供することを目的とするものである。
【課題を解決するための手段】
【０００８】
本開示の一態様に係る情報処理方法は、コンピュータが、住居内にいる対象者の生体情報と、前記対象者がいる位置を示す位置情報とを取得し、取得した前記生体情報に基づいて、前記対象者の安否確認が必要であるか否かを判断し、前記対象者の安否確認が必要であると判断した場合、複数の駆けつけ候補者の各々が所有する前記端末装置の連絡先を示す連絡先情報と、前記複数の駆けつけ候補者の各々がいる位置を示す位置情報とを対応付けて記憶する記憶部を参照し、取得した前記位置情報で示される前記対象者の位置の近傍にいる少なくとも１の駆けつけ候補者の所有する前記端末装置へ、前記対象者の前記位置を含むとともに前記対象者の安否確認を要請するための緊急信号を送信し、前記住居に入る扉に設置された電気錠を解錠するためのパスワードを管理する鍵管理装置へ、前記少なくとも１の駆けつけ候補者が前記電気錠を解錠するための前記パスワードの発行を依頼するパスワード発行依頼信号を送信する。
【発明の効果】
【０００９】
本開示によれば、迅速な救急対応と、高いセキュリティレベルの維持とを両立させることができる。
【図面の簡単な説明】
【００１０】
【図１】本開示の実施の形態１に係る情報処理システムの構成の一例を示す図である。
【図２】本開示の実施の形態１における生体情報測定装置の構成を示す図である。
【図３】本開示の実施の形態１におけるサーバの構成を示す図である。
【図４】本開示の実施の形態１における端末装置の構成を示す図である。
【図５】本開示の実施の形態１における鍵管理装置の構成を示す図である。
【図６】本開示の実施の形態１における電気錠装置の構成を示す図である。
【図７】本開示の実施の形態１における生体情報測定装置の動作について説明するためのフローチャートである。
【図８】本開示の実施の形態１におけるサーバの動作について説明するためのフローチャートである。
【図９】本開示の実施の形態１における端末装置の動作について説明するためのフローチャートである。
【図１０】本開示の実施の形態１における鍵管理装置の動作について説明するためのフローチャートである。
【図１１】本開示の実施の形態１における電気錠装置の動作について説明するためのフローチャートである。
【図１２】本開示の実施の形態２に係る情報処理システムの構成の一例を示す図である。
【図１３】本開示の実施の形態２におけるカメラの構成を示す図である。
【図１４】本開示の実施の形態２におけるサーバの構成を示す図である。
【図１５】本開示の実施の形態２におけるサーバの動作について説明するためのフローチャートである。
【発明を実施するための形態】
【００１１】
（本開示の基礎となった知見）
上記の従来の安否確認システムは、住居内の対象者について、健康上の異常に基づいて出力された緊急信号をバイタルサインセンサから受信する受信部と、緊急信号の受信に基づいて、平常時に設定される平常モードから、住居内の対象者の安否確認を促す緊急モードへ移行する緊急対応部とを備えている。緊急対応部は、錠部と通知部とを備えている。錠部は、平常モードで第１の識別符号（平常用暗証番号）に基づいて扉を解錠し、緊急モードで第１の識別符号とは異なる第２の識別符号（緊急用暗証番号）に基づいて扉を解錠する。通知部は、携帯電話回線網を介して、対象者の健康上の異常、対象者の携帯情報端末の所在地及び緊急用暗証番号を、住居外の所定の管理者の端末に電子メールで通知する。これにより、電子メールを受けた管理者及び当該管理者から依頼された救助者が、緊急モードに移行した錠部を解錠することが可能となる。
【００１２】
この従来の安否確認システムでは、緊急用暗証番号が管理者の端末のみに電子メールで通知されるため、高いセキュリティレベルを担保することができるが、管理者が電子メールを確認することが困難な状況にあった場合に、迅速に緊急対応を行うことができない。
【００１３】
また、緊急対応を効果的に実現するために、例えば、消防士、看護士及び救急救命士などの複数の管理者を安否確認システムに登録し、登録された複数の管理者の端末に緊急用暗証番号を通知した場合、複数の人物に緊急用暗証番号が知られることになり、セキュリティレベルが低下するおそれがある。
【００１４】
このように、従来技術では、迅速な救急対応と、高いセキュリティレベルの維持とを両立させることが困難であった。
【００１５】
以上の課題を解決するために、本開示の一態様に係る情報処理方法は、コンピュータが、住居内にいる対象者の生体情報と、前記対象者がいる位置を示す位置情報とを取得し、取得した前記生体情報に基づいて、前記対象者の安否確認が必要であるか否かを判断し、前記対象者の安否確認が必要であると判断した場合、複数の駆けつけ候補者の各々が所有する前記端末装置の連絡先を示す連絡先情報と、前記複数の駆けつけ候補者の各々がいる位置を示す位置情報とを対応付けて記憶する記憶部を参照し、取得した前記位置情報で示される前記対象者の位置の近傍にいる少なくとも１の駆けつけ候補者の所有する前記端末装置へ、前記対象者の前記位置を含むとともに前記対象者の安否確認を要請するための緊急信号を送信し、前記住居に入る扉に設置された電気錠を解錠するためのパスワードを管理する鍵管理装置へ、前記少なくとも１の駆けつけ候補者が前記電気錠を解錠するための前記パスワードの発行を依頼するパスワード発行依頼信号を送信する。
【００１６】
この構成によれば、住居内にいる対象者の生体情報と、対象者がいる位置を示す位置情報とが取得される。取得された生体情報に基づいて、対象者の安否確認が必要であるか否かが判断される。対象者の安否確認が必要であると判断された場合、複数の駆けつけ候補者の各々が所有する端末装置の連絡先を示す連絡先情報と、複数の駆けつけ候補者の各々がいる位置を示す位置情報とを対応付けて記憶する記憶部が参照され、取得された位置情報で示される対象者の位置の近傍にいる少なくとも１の駆けつけ候補者の所有する端末装置へ、対象者の位置を含むとともに対象者の安否確認を要請するための緊急信号が送信される。住居に入る扉に設置された電気錠を解錠するためのパスワードを管理する鍵管理装置へ、少なくとも１の駆けつけ候補者が電気錠を解錠するためのパスワードの発行を依頼するパスワード発行依頼信号が送信される。
【００１７】
したがって、安否確認が必要な対象者の位置の近傍にいる少なくとも１の駆けつけ候補者の所有する端末装置へ、対象者の位置を含むとともに対象者の安否確認を要請するための緊急信号が送信されるので、少なくとも１の駆けつけ候補者は、安否確認が必要な対象者の位置に迅速に駆けつけることができ、少なくとも１の駆けつけ候補者が電気錠を解錠するためのパスワードの発行が依頼されるので、パスワードが発行される駆けつけ候補者の数を減らすことができ、迅速な救急対応と、高いセキュリティレベルの維持とを両立させることができる。
【００１８】
また、上記の情報処理方法において、さらに、前記対象者の位置へ駆けつけることが可能な少なくとも１の駆けつけ候補者の前記端末装置によって送信された、前記少なくとも１の駆けつけ候補者が前記対象者の位置へ駆けつけることが可能であることを示す少なくとも１の駆けつけ可能信号を受信し、さらに、受信した前記少なくとも１の駆けつけ可能信号に基づいて、前記少なくとも１の駆けつけ候補者のうちの１の駆けつけ候補者を、前記住居に駆けつける駆けつけ者に決定し、さらに、決定した前記１の駆けつけ候補者の前記端末装置へ、前記駆けつけ者に決定したことを通知するための決定通知信号を送信し、前記パスワード発行依頼信号の送信は、前記１の駆けつけ候補者が前記電気錠を解錠するための前記パスワードの発行を依頼する前記パスワード発行依頼信号を前記鍵管理装置へ送信してもよい。
【００１９】
この構成によれば、対象者の位置へ駆けつけることが可能な少なくとも１の駆けつけ候補者の端末装置によって送信された、少なくとも１の駆けつけ候補者が対象者の位置へ駆けつけることが可能であることを示す少なくとも１の駆けつけ可能信号が受信される。受信された少なくとも１の駆けつけ可能信号に基づいて、少なくとも１の駆けつけ候補者のうちの１の駆けつけ候補者が、住居に駆けつける駆けつけ者に決定される。決定された１の駆けつけ候補者の端末装置へ、駆けつけ者に決定したことを通知するための決定通知信号が送信される。パスワード発行依頼信号の送信において、１の駆けつけ候補者が電気錠を解錠するためのパスワードの発行を依頼するパスワード発行依頼信号が鍵管理装置へ送信される。
【００２０】
したがって、少なくとも１の駆けつけ候補者のうちの１の駆けつけ候補者が、住居に駆けつける駆けつけ者に決定され、決定された１の駆けつけ候補者が電気錠を解錠するためのパスワードの発行が依頼されるので、パスワードが発行される駆けつけ候補者の数をさらに減らすことができ、セキュリティレベルをより高めることができる。
【００２１】
また、上記の情報処理方法において、さらに、決定した前記１の駆けつけ候補者の前記端末装置から、前記１の駆けつけ候補者が前記対象者の位置に到着したことを通知するための到着通知信号を受信し、さらに、前記到着通知信号を受信した場合、決定した前記１の駆けつけ候補者の前記端末装置の前記連絡先情報を前記鍵管理装置へ送信してもよい。
【００２２】
この構成によれば、決定された１の駆けつけ候補者の端末装置から、１の駆けつけ候補者が対象者の位置に到着したことを通知するための到着通知信号が受信される。到着通知信号が受信された場合、決定された１の駆けつけ候補者の端末装置の連絡先情報が鍵管理装置へ送信される。
【００２３】
したがって、１の駆けつけ候補者が対象者の位置に到着した後、１の駆けつけ候補者の端末装置に対してパスワードが送信されるので、セキュリティレベルをより高めることができる。
【００２４】
また、上記の情報処理方法において、前記駆けつけ可能信号は、前記駆けつけ候補者が前記対象者の位置に到着するまでの到着予定時間を含み、前記１の駆けつけ候補者の決定は、前記駆けつけ可能信号を送信した前記少なくとも１の駆けつけ候補者のうち、前記到着予定時間が最も短い前記１の駆けつけ候補者を前記駆けつけ者に決定してもよい。
【００２５】
この構成によれば、駆けつけ可能信号は、駆けつけ候補者が対象者の位置に到着するまでの到着予定時間を含む。１の駆けつけ候補者の決定において、駆けつけ可能信号を送信した少なくとも１の駆けつけ候補者のうち、到着予定時間が最も短い１の駆けつけ候補者が駆けつけ者に決定される。
【００２６】
したがって、最も早く到着する１の駆けつけ候補者が対象者の位置に駆けつけるので、より迅速な救急対応を行うことができる。
【００２７】
また、上記の情報処理方法において、前記１の駆けつけ候補者の決定は、前記駆けつけ可能信号を送信した前記少なくとも１の駆けつけ候補者のうち、前記駆けつけ候補者の位置と前記対象者の位置との間の距離が最も短い前記１の駆けつけ候補者を前記駆けつけ者に決定してもよい。
【００２８】
この構成によれば、１の駆けつけ候補者の決定において、駆けつけ可能信号を送信した少なくとも１の駆けつけ候補者のうち、駆けつけ候補者の位置と対象者の位置との間の距離が最も短い１の駆けつけ候補者が駆けつけ者に決定される。
【００２９】
したがって、対象者の位置から最も近くにいる１の駆けつけ候補者が対象者の位置に駆けつけるので、より迅速な救急対応を行うことができる。
【００３０】
また、上記の情報処理方法において、さらに、前記対象者が前記住居内にいるか否かを判断し、前記緊急信号の送信は、前記対象者が前記住居内にいないと判断した場合、前記緊急信号を送信しなくてもよい。
【００３１】
この構成によれば、対象者が住居内にいるか否かが判断される。緊急信号の送信において、対象者が住居内にいないと判断された場合、緊急信号が送信されない。
【００３２】
したがって、対象者が住居内にいない場合は、緊急信号が送信されないので、対象者が住居内にいる場合にのみ確実に安否確認を行うことができる。
【００３３】
また、上記の情報処理方法において、さらに、前記対象者が前記住居内にいるか否かを判断し、前記対象者の安否確認が必要であるか否かの判断は、前記対象者が前記住居内にいないと判断した場合、前記対象者の安否確認が必要であるか否かを判断しなくてもよい。
【００３４】
この構成によれば、対象者が住居内にいるか否かが判断される。対象者の安否確認が必要であるか否かの判断において、対象者が住居内にいないと判断された場合、対象者の安否確認が必要であるか否かが判断されない。
【００３５】
したがって、対象者が住居内にいない場合は、対象者の安否確認が必要であるか否かが判断されないので、対象者が住居内にいる場合にのみ確実に安否確認を行うことができる。
【００３６】
また、上記の情報処理方法において、さらに、前記住居内に設置されたカメラから、前記住居内を撮影した画像を取得し、前記生体情報の取得は、前記住居内に設置された、非接触で前記生体情報を測定する生体情報測定装置から前記生体情報を取得し、前記対象者が前記住居内にいるか否かの判断は、取得した前記画像に前記対象者が含まれておらず、かつ前記生体情報測定装置により前記生体情報が測定されない場合、前記対象者が前記住居内にいないと判断してもよい。
【００３７】
この構成によれば、住居内に設置されたカメラから、住居内を撮影した画像が取得される。生体情報の取得において、住居内に設置された、非接触で生体情報を測定する生体情報測定装置から生体情報が取得される。対象者が住居内にいるか否かの判断において、取得された画像に対象者が含まれておらず、かつ生体情報測定装置により生体情報が測定されない場合、対象者が住居内にいないと判断される。
【００３８】
したがって、カメラで撮影された画像に対象者が含まれておらず、かつ生体情報が測定されない場合、対象者が住居内にいないと判断されるので、対象者が住居内にいないことをより確実に判断することができる。
【００３９】
本開示の他の態様に係る情報処理装置は、住居内にいる対象者の生体情報と、前記対象者がいる位置を示す位置情報とを取得する取得部と、取得された前記生体情報に基づいて、前記対象者の安否確認が必要であるか否かを判断する判断部と、複数の駆けつけ候補者の各々が所有する前記端末装置の連絡先を示す連絡先情報と、前記複数の駆けつけ候補者の各々がいる位置を示す位置情報とを対応付けて記憶する記憶部と、前記対象者の安否確認が必要であると判断された場合、前記記憶部を参照し、取得された前記位置情報で示される前記対象者の位置の近傍にいる少なくとも１の駆けつけ候補者の所有する前記端末装置へ、前記対象者の前記位置を含むとともに前記対象者の安否確認を要請するための緊急信号を送信する第１送信部と、前記住居に入る扉に設置された電気錠を解錠するためのパスワードを管理する鍵管理装置へ、前記少なくとも１の駆けつけ候補者が前記電気錠を解錠するための前記パスワードの発行を依頼するパスワード発行依頼信号を送信する第２送信部と、を備える。
【００４０】
この構成によれば、取得部によって、住居内にいる対象者の生体情報と、対象者がいる位置を示す位置情報とが取得される。判断部によって、取得された生体情報に基づいて、対象者の安否確認が必要であるか否かが判断される。対象者の安否確認が必要であると判断された場合、第１送信部によって、複数の駆けつけ候補者の各々が所有する端末装置の連絡先を示す連絡先情報と、複数の駆けつけ候補者の各々がいる位置を示す位置情報とを対応付けて記憶する記憶部が参照され、取得された位置情報で示される対象者の位置の近傍にいる少なくとも１の駆けつけ候補者の所有する端末装置へ、対象者の位置を含むとともに対象者の安否確認を要請するための緊急信号が送信される。第２送信部によって、住居に入る扉に設置された電気錠を解錠するためのパスワードを管理する鍵管理装置へ、少なくとも１の駆けつけ候補者が電気錠を解錠するためのパスワードの発行を依頼するパスワード発行依頼信号が送信される。
【００４１】
したがって、安否確認が必要な対象者の位置の近傍にいる少なくとも１の駆けつけ候補者の所有する端末装置へ、対象者の位置を含むとともに対象者の安否確認を要請するための緊急信号が送信されるので、少なくとも１の駆けつけ候補者は、安否確認が必要な対象者の位置に迅速に駆けつけることができ、少なくとも１の駆けつけ候補者が電気錠を解錠するためのパスワードの発行が依頼されるので、パスワードが発行される駆けつけ候補者の数を減らすことができ、迅速な救急対応と、高いセキュリティレベルの維持とを両立させることができる。
【００４２】
本開示の他の態様に係る情報処理システムは、生体情報測定装置と、情報処理装置と、端末装置と、鍵管理装置と、錠装置とを備える情報処理システムであって、前記生体情報測定装置は、住居内にいる対象者の生体情報を測定する生体情報測定部と、前記対象者がいる位置を示す位置情報を測定する位置測定部と、測定された前記生体情報と、測定された前記位置情報とを前記情報処理装置へ送信する送信部と、を備え、前記情報処理装置は、前記生体情報測定装置によって送信された前記生体情報及び前記位置情報を受信する受信部と、受信された前記生体情報に基づいて、前記対象者の安否確認が必要であるか否かを判断する判断部と、複数の駆けつけ候補者の各々が所有する前記端末装置の連絡先を示す連絡先情報と、前記複数の駆けつけ候補者の各々がいる位置を示す位置情報とを対応付けて記憶する記憶部と、前記対象者の安否確認が必要であると判断された場合、前記記憶部を参照し、取得された前記位置情報で示される前記対象者の位置の近傍にいる少なくとも１の駆けつけ候補者の所有する前記端末装置へ、前記対象者の前記位置を含むとともに前記対象者の安否確認を要請するための緊急信号を送信する第１送信部と、前記住居に入る扉に設置された電気錠を解錠するためのパスワードを管理する鍵管理装置へ、前記少なくとも１の駆けつけ候補者が前記電気錠を解錠するための前記パスワードの発行を依頼するパスワード発行依頼信号を送信する第２送信部と、を備え、前記端末装置は、前記情報処理装置によって送信された前記緊急信号を受信する第１受信部と、前記第１受信部によって受信された前記緊急信号に含まれる前記対象者の位置を提示する第１提示部と、前記鍵管理装置によって送信された前記パスワードを受信する第２受信部と、前記第２受信部によって受信された前記パスワードを提示する第２提示部と、を備え、前記鍵管理装置は、前記情報処理装置によって送信された前記パスワード発行依頼信号を受信する第１受信部と、前記電気錠を解錠するための前記パスワードを発行するパスワード発行部と、前記少なくとも１の駆けつけ候補者の前記端末装置へ、前記パスワード発行部によって発行された前記パスワードを送信する第１送信部と、前記錠装置によって送信された前記パスワードを受信する第２受信部と、前記第２受信部によって受信された前記パスワードが、前記パスワード発行部によって発行された前記パスワードと一致するか否かを判断する判断部と、前記判断部による判断結果を前記錠装置へ送信する第２送信部と、を備え、前記錠装置は、前記電気錠と、前記少なくとも１の駆けつけ候補者のうちの１の駆けつけ候補者による前記パスワードの入力を受け付けるパスワード入力受付部と、前記パスワード入力受付部によって受け付けられた前記パスワードを前記鍵管理装置へ送信する送信部と、前記鍵管理装置によって送信された前記判断結果を受信する受信部と、前記受信部によって受信された前記判断結果が、前記パスワード入力受付部によって受け付けられた前記パスワードが、前記パスワード発行部によって発行された前記パスワードと一致するという判断結果である場合、前記電気錠を解錠する解錠部と、を備える。
【００４３】
この構成によれば、生体情報測定装置の生体情報測定部によって、住居内にいる対象者の生体情報が測定される。生体情報測定装置の位置測定部によって、対象者がいる位置を示す位置情報が測定される。生体情報測定装置の送信部によって、測定された生体情報と、測定された位置情報とが情報処理装置へ送信される。情報処理装置の受信部によって、生体情報測定装置によって送信された生体情報及び位置情報が受信される。情報処理装置の判断部によって、受信された生体情報に基づいて、対象者の安否確認が必要であるか否かが判断される。情報処理装置の記憶部は、複数の駆けつけ候補者の各々が所有する端末装置の連絡先を示す連絡先情報と、複数の駆けつけ候補者の各々がいる位置を示す位置情報とを対応付けて記憶する。対象者の安否確認が必要であると判断された場合、情報処理装置の第１送信部によって、記憶部が参照され、取得された位置情報で示される対象者の位置の近傍にいる少なくとも１の駆けつけ候補者の所有する端末装置へ、対象者の位置を含むとともに対象者の安否確認を要請するための緊急信号が送信される。情報処理装置の第２送信部によって、住居に入る扉に設置された電気錠を解錠するためのパスワードを管理する鍵管理装置へ、少なくとも１の駆けつけ候補者が電気錠を解錠するためのパスワードの発行を依頼するパスワード発行依頼信号が送信される。端末装置の第１受信部によって、情報処理装置によって送信された緊急信号が受信される。端末装置の第１提示部によって、第１受信部によって受信された緊急信号に含まれる対象者の位置が提示される。端末装置の第２受信部によって、鍵管理装置によって送信されたパスワードが受信される。端末装置の第２提示部によって、第２受信部によって受信されたパスワードが提示される。鍵管理装置の第１受信部によって、情報処理装置によって送信されたパスワード発行依頼信号が受信される。鍵管理装置のパスワード発行部によって、電気錠を解錠するためのパスワードが発行される。鍵管理装置の第１送信部によって、少なくとも１の駆けつけ候補者の端末装置へ、パスワード発行部によって発行されたパスワードが送信される。鍵管理装置の第２受信部によって、錠装置によって送信されたパスワードが受信される。鍵管理装置の判断部によって、第２受信部によって受信されたパスワードが、パスワード発行部によって発行されたパスワードと一致するか否かが判断される。鍵管理装置の第２送信部によって、判断部による判断結果が錠装置へ送信される。錠装置のパスワード入力受付部によって、少なくとも１の駆けつけ候補者のうちの１の駆けつけ候補者によるパスワードの入力が受け付けられる。錠装置の送信部によって、パスワード入力受付部によって受け付けられたパスワードが鍵管理装置へ送信される。錠装置の受信部によって、鍵管理装置によって送信された判断結果が受信される。受信部によって受信された判断結果が、パスワード入力受付部によって受け付けられたパスワードが、パスワード発行部によって発行されたパスワードと一致するという判断結果である場合、錠装置の解錠部によって、電気錠が解錠される。
【００４４】
したがって、安否確認が必要な対象者の位置の近傍にいる少なくとも１の駆けつけ候補者の所有する端末装置へ、対象者の位置を含むとともに対象者の安否確認を要請するための緊急信号が送信されるので、少なくとも１の駆けつけ候補者は、安否確認が必要な対象者の位置に迅速に駆けつけることができ、少なくとも１の駆けつけ候補者が電気錠を解錠するためのパスワードの発行が依頼されるので、パスワードが発行される駆けつけ候補者の数を減らすことができ、迅速な救急対応と、高いセキュリティレベルの維持とを両立させることができる。
【００４５】
以下添付図面を参照しながら、本開示の実施の形態について説明する。なお、以下の実施の形態は、本開示を具体化した一例であって、本開示の技術的範囲を限定するものではない。
【００４６】
（実施の形態１）
図１は、本開示の実施の形態１に係る情報処理システムの構成の一例を示す図である。図１に示す情報処理システムは、生体情報測定装置１、サーバ２、端末装置３、鍵管理装置４及び電気錠装置５を備える。
【００４７】
生体情報測定装置１は、例えばスマートウォッチであり、住居内にいる対象者に装着される。生体情報測定装置１は、住居内にいる対象者の生体情報を測定する。
【００４８】
サーバ２は、情報処理装置の一例であり、住居内にいる対象者の安否確認を駆けつけ候補者に対して要請する。サーバ２は、生体情報測定装置１、端末装置３及び鍵管理装置４のそれぞれとネットワーク６を介して互いに通信可能に接続されている。ネットワーク６は、例えばインターネットである。
【００４９】
端末装置３は、例えば、携帯電話機、スマートフォン、タブレット型コンピュータ又はパーソナルコンピュータであり、サーバ２から種々の情報を受信するとともに、サーバ２へ種々の情報を送信する。駆けつけ候補者は、端末装置３を利用している。
【００５０】
鍵管理装置４は、電気錠を解錠するためのパスワードを管理する。鍵管理装置４は、サーバ２、端末装置３及び電気錠装置５とネットワーク６を介して互いに通信可能に接続されている。パスワードは、例えば、０〜９の数字の組み合わせで表される。
【００５１】
電気錠装置５は、安否確認対象者の住居の玄関の扉に設置されている。電気錠装置５は、パスワードの入力を受け付け、入力されたパスワードが予め登録されているパスワードと一致した場合に、電気錠を解錠する。
【００５２】
図２は、本開示の実施の形態１における生体情報測定装置の構成を示す図である。図２に示す生体情報測定装置１は、生体情報測定部１１、位置情報測定部１２、制御部１３及び通信部１４を備える。
【００５３】
生体情報測定部１１は、例えば、種々のセンサであり、対象者の生体情報を測定する。生体情報測定部１１は、所定の時間間隔で対象者の生体情報を測定する。生体情報は、例えば、対象者の血流、心拍数、脈拍数、脳波、血圧、脳波、生体ガス、呼吸及び体温の少なくとも１つである。
【００５４】
位置情報測定部１２は、例えば、ＧＰＳ（Ｇｒｏｂａｌ  Ｐｏｓｉｔｉｏｎｉｎｇ  Ｓｙｓｔｅｍ）であり、生体情報測定装置１の位置情報、すなわち対象者のいる位置情報を測定する。なお、位置情報は、例えば、緯度及び経度で表される。
【００５５】
制御部１３は、例えばＣＰＵ（中央演算処理装置）であり、生体情報測定装置１全体を制御する。
【００５６】
通信部１４は、生体情報測定部１１によって測定された生体情報と、位置情報測定部１２によって測定された位置情報とをサーバ２へ送信する。通信部１４は、所定の時間間隔（例えば、１秒間隔）で定期的に生体情報及び位置情報をサーバ２へ送信する。このとき、通信部１４は、安否確認対象を識別するための識別情報を生体情報及び位置情報とともに送信する。
【００５７】
なお、本実施の形態１における情報処理システムは、接触型の生体情報測定装置１を備えているが、非接触型の生体情報測定装置１を備えてもよい。非接触型の生体情報測定装置１は、例えばドップラーセンサ等を用いて、非接触で住居内にいる対象者の脈波を計測し、対象者の心拍数及び心拍変動を検出する。
【００５８】
また、本実施の形態１において、通信部１４は、位置情報測定部１２によって測定された位置情報をサーバ２へ送信しているが、本開示は特にこれに限定されず、不図示の記憶部が住居の位置情報を予め記憶しており、通信部１４は、記憶部から読み出した位置情報をサーバ２へ送信してもよい。この場合、位置情報は、対象者の住居の位置を表し、対象者によって予め生体情報測定装置１に入力される。これにより、位置情報測定部１２が不要となり、生体情報測定装置１の構成を簡略化することができる。
【００５９】
図３は、本開示の実施の形態１におけるサーバの構成を示す図である。図３に示すサーバ２は、通信部２１、記憶部２２及び制御部２３を備える。
【００６０】
通信部２１は、生体情報受信部２１１、緊急信号送信部２１２、駆けつけ可能信号受信部２１３、決定通知信号送信部２１４、パスワード発行依頼信号送信部２１５、到着通知信号受信部２１６及び連絡先情報送信部２１７を備える。記憶部２２は、例えば、半導体メモリであり、登録者ＤＢ（データベース）２２１を備える。制御部２３は、例えば、ＣＰＵであり、安否確認判断部２３１、緊急通報部２３２及び駆けつけ者決定部２３３を備える。
【００６１】
生体情報受信部２１１は、住居内にいる対象者の生体情報と、対象者がいる位置を示す位置情報とを取得する。生体情報受信部２１１は、生体情報測定装置１によって送信された生体情報及び位置情報を受信する。
【００６２】
安否確認判断部２３１は、生体情報受信部２１１によって取得された生体情報に基づいて、対象者の安否確認が必要であるか否かを判断する。生体情報が例えば心拍数である場合、安否確認判断部２３１は、心拍数が所定の閾値以下であるか否かを判断する。そして、心拍数が所定の閾値以下であると判断した場合、安否確認判断部２３１は、対象者の安否確認が必要であると判断し、心拍数が所定の閾値より高いと判断した場合、安否確認判断部２３１は、対象者の安否確認が必要ではないと判断する。
【００６３】
なお、生体情報に基づく安否確認の方法は、上記に限定されず、他の生体情報を用いて安否確認対象者の心臓が停止したか否かを判断することにより、安否確認が必要であるか否かを判断してもよい。
【００６４】
登録者ＤＢ２２１は、複数の駆けつけ候補者の各々が所有する端末装置３の連絡先を示す連絡先情報と、複数の駆けつけ候補者の各々がいる位置を示す位置情報とを対応付けて記憶する。駆けつけ候補者は、例えば、看護士及び救急救命士などであり、予め自身の所有する端末装置３の連絡先情報を登録する。連絡先情報は、例えば電子メールのアドレスである。また、駆けつけ候補者の位置情報は、連絡先情報とともに登録される。駆けつけ候補者は、自身が通常いる場所の住所又は地域を位置情報として予め登録する。なお、位置情報は、日中及び夜間などの時間帯毎に駆けつけ候補者がいる場所を表してもよい。また、連絡先情報は、端末装置３を識別するための情報（例えば、ＩＰアドレス）であってもよい。
【００６５】
さらに、駆けつけ候補者の端末装置３は、定期的に位置情報を測定し、測定した位置情報をサーバ２へ送信してもよい。サーバ２の通信部２１は、端末装置３によって送信された位置情報を受信し、受信した位置情報を送信元の端末装置３の連絡先情報に対応付けて登録者ＤＢ２２１に記憶してもよい。この場合、駆けつけ候補者のリアルタイムの位置情報を連絡先情報と対応付けて記憶することができ、より正確に駆けつけ候補者のいる位置を特定することができる。
【００６６】
緊急通報部２３２は、安否確認判断部２３１によって対象者の安否確認が必要であると判断された場合、記憶部２２の登録者ＤＢ２２１を参照し、取得した位置情報で示される対象者の位置の近傍にいる少なくとも１の駆けつけ候補者の所有する端末装置３へ、対象者の位置を含むとともに対象者の安否確認を要請するための緊急信号を送信する。
【００６７】
ここで、緊急通報部２３２は、安否確認判断部２３１によって対象者の安否確認が必要であると判断された場合、記憶部２２の登録者ＤＢ２２１を参照し、取得した位置情報で示される対象者の位置の近傍にいる少なくとも１の駆けつけ候補者を特定する。緊急通報部２３２は、安否確認対象者の位置から所定の距離内の位置にいる少なくとも１の駆けつけ候補者を特定する。所定の距離は、例えば１ｋｍである。すなわち、緊急通報部２３２は、安否確認対象者の位置を中心とする所定の半径の円内にいる少なくとも１の駆けつけ候補者を特定する。緊急通報部２３２は、特定した少なくとも１の駆けつけ候補者のそれぞれに対応付けられている連絡先情報を登録者ＤＢ２２１から抽出し、抽出した連絡先情報に対応する端末装置３へ緊急信号を送信するように緊急信号送信部２１２に指示する。
【００６８】
なお、緊急通報部２３２は、安否確認対象者の位置から第１の距離内の位置にいる少なくとも１の駆けつけ候補者を登録者ＤＢ２２１から抽出してもよい。そして、緊急通報部２３２は、安否確認対象者の位置から第１の距離内に駆けつけ候補者がいない場合、安否確認対象者の位置から第１の距離よりも長い第２の距離内の位置にいる少なくとも１の駆けつけ候補者を登録者ＤＢ２２１から抽出してもよい。
【００６９】
緊急信号送信部２１２は、安否確認対象者の位置の近傍にいる少なくとも１の駆けつけ候補者の所有する端末装置３へ緊急信号を送信する。
【００７０】
駆けつけ可能信号受信部２１３は、安否確認対象者の位置へ駆けつけることが可能な少なくとも１の駆けつけ候補者の端末装置３によって送信された、少なくとも１の駆けつけ候補者が安否確認対象者の位置へ駆けつけることが可能であることを示す少なくとも１の駆けつけ可能信号を受信する。緊急信号を受信した端末装置３は、安否確認対象者の位置を駆けつけ候補者に提示し、安否確認対象者の位置へ駆けつけることが可能であるか否かの入力を受け付ける。安否確認対象者の位置へ駆けつけることが可能であることが入力された場合、端末装置３は、駆けつけ可能信号をサーバ２へ送信する。
【００７１】
駆けつけ者決定部２３３は、駆けつけ可能信号受信部２１３によって受信された少なくとも１の駆けつけ可能信号に基づいて、少なくとも１の駆けつけ候補者のうちの１の駆けつけ候補者を、安否確認対象者の住居に駆けつける駆けつけ者に決定する。ここで、駆けつけ可能信号は、駆けつけ候補者が安否確認対象者の位置に到着するまでの到着予定時間を含む。駆けつけ者決定部２３３は、駆けつけ可能信号を送信した少なくとも１の駆けつけ候補者のうち、到着予定時間が最も短い１の駆けつけ候補者を駆けつけ者に決定する。
【００７２】
なお、駆けつけ者決定部２３３は、駆けつけ可能信号を送信した少なくとも１の駆けつけ候補者のうち、駆けつけ候補者の位置と安否確認対象者の位置との間の距離が最も短い１の駆けつけ候補者を駆けつけ者に決定してもよい。また、駆けつけ者決定部２３３は、地図情報を参照し、駆けつけ可能信号を送信した少なくとも１の駆けつけ候補者の端末装置３から安否確認対象者の位置までのそれぞれの経路を算出し、算出した経路を徒歩で移動した場合に最も早く到着する１の駆けつけ候補者を駆けつけ者に決定してもよい。
【００７３】
さらに、駆けつけ可能信号は、徒歩又は自動車などの駆けつけ候補者の移動手段を含んでもよい。この場合、駆けつけ者決定部２３３は、地図情報を参照し、駆けつけ可能信号を送信した少なくとも１の駆けつけ候補者の端末装置３から安否確認対象者の位置までのそれぞれの経路を算出し、算出した経路を駆けつけ候補者の移動手段で移動した場合に最も早く到着する１の駆けつけ候補者を駆けつけ者に決定してもよい。
【００７４】
決定通知信号送信部２１４は、駆けつけ者決定部２３３によって決定された１の駆けつけ候補者の端末装置３へ、駆けつけ者に決定したことを通知するための決定通知信号を送信する。
【００７５】
パスワード発行依頼信号送信部２１５は、安否確認対象者の住居に入る扉に設置された電気錠を解錠するためのパスワードを管理する鍵管理装置４へ、駆けつけ者決定部２３３によって決定された１の駆けつけ候補者が電気錠を解錠するためのパスワードの発行を依頼するパスワード発行依頼信号を送信する。
【００７６】
到着通知信号受信部２１６は、決定した１の駆けつけ候補者の端末装置３から、１の駆けつけ候補者が安否確認対象者の位置に到着したことを通知するための到着通知信号を受信する。
【００７７】
連絡先情報送信部２１７は、到着通知信号受信部２１６によって到着通知信号が受信された場合、駆けつけ者決定部２３３によって決定された１の駆けつけ候補者の端末装置３の連絡先情報を鍵管理装置４へ送信する。
【００７８】
なお、本実施の形態１では、サーバ２は、少なくとも１の駆けつけ候補者の端末装置３によって送信された少なくとも１の駆けつけ可能信号を受信し、受信した少なくとも１の駆けつけ可能信号に基づいて、少なくとも１の駆けつけ候補者のうちの１の駆けつけ候補者を駆けつけ者に決定し、決定した１の駆けつけ候補者が電気錠を解錠するためのパスワードの発行を依頼するパスワード発行依頼信号を送信しているが、本開示は特にこれに限定されない。サーバ２は、少なくとも１の駆けつけ可能信号を受信しないとともに、少なくとも１の駆けつけ候補者のうちの１の駆けつけ候補者を駆けつけ者に決定しなくてもよい。そして、パスワード発行依頼信号送信部２１５は、安否確認対象者の位置の近傍にいる少なくとも１の駆けつけ候補者が電気錠を解錠するためのパスワードの発行を依頼するパスワード発行依頼信号を鍵管理装置４へ送信してもよい。
【００７９】
また、到着通知信号受信部２１６は、緊急信号を送信した少なくとも１の駆けつけ候補者のうち、最初に安否確認対象者の位置に到着した１の駆けつけ候補者の端末装置３から、１の駆けつけ候補者が安否確認対象者の位置に到着したことを通知するための到着通知信号を受信してもよい。そして、連絡先情報送信部２１７は、到着通知信号受信部２１６によって到着通知信号が受信された場合、１の駆けつけ候補者の端末装置３の連絡先情報を鍵管理装置４へ送信してもよい。
【００８０】
図４は、本開示の実施の形態１における端末装置の構成を示す図である。図４に示す端末装置３は、通信部３１、制御部３２、入力受付部３３及び表示部３４を備える。
【００８１】
通信部３１は、緊急信号受信部３１１、駆けつけ可能信号送信部３１２、決定通知信号受信部３１３、到着通知信号送信部３１４及びパスワード受信部３１５を備える。制御部３２は、例えばＣＰＵであり、表示制御部３２１を備える。
【００８２】
入力受付部３３は、例えば、タッチパネル、キーボード又はマウスなどであり、駆けつけ候補者による情報の入力を受け付ける。表示部３４は、例えば液晶表示装置であり、駆けつけ候補者に提示する種々の情報を表示する。
【００８３】
緊急信号受信部３１１は、サーバ２によって送信された緊急信号を受信する。
【００８４】
表示制御部３２１は、緊急信号受信部３１１によって受信された緊急信号に含まれる対象者の位置を提示する。表示制御部３２１は、緊急信号受信部３１１によって緊急信号が受信された場合、安否確認対象者の位置を駆けつけ候補者に提示するとともに、安否確認対象者の位置に駆けつけることが可能であるか否かを駆けつけ候補者に確認するための駆けつけ確認画面を表示部３４に表示する。駆けつけ確認画面は、例えば、安否確認対象者の位置と、安否確認対象者の位置に駆けつけることが可能であるか否かを入力するためのボタンと、駆けつけ候補者が安否確認対象者の位置に到着するまでの到着予定時間を入力するための入力欄とを含む。
【００８５】
入力受付部３３は、安否確認対象者の位置に駆けつけることが可能であるか否かの駆けつけ候補者による入力を受け付ける。また、入力受付部３３は、駆けつけ候補者が安否確認対象者の位置に到着するまでの到着予定時間の駆けつけ候補者による入力を受け付ける。駆けつけ候補者は、表示部３４に表示される駆けつけ確認画面において、安否確認対象者の位置に駆けつけることが可能であるか否かを入力するとともに、安否確認対象者の位置に到着するまでの到着予定時間を入力する。
【００８６】
駆けつけ可能信号送信部３１２は、駆けつけ候補者が安否確認対象者の位置へ駆けつけることが可能であることを示す駆けつけ可能信号をサーバ２へ送信する。
【００８７】
決定通知信号受信部３１３は、駆けつけ者に決定されたことを通知するための決定通知信号をサーバ２から受信する。また、決定通知信号受信部３１３は、駆けつけ者に決定されなかったことを通知するための未決定通知信号をサーバ２から受信する。
【００８８】
表示制御部３２１は、駆けつけ候補者が安否確認対象者の住居に駆けつける駆けつけ者に決定されたことを駆けつけ候補者に通知する。表示制御部３２１は、決定通知信号受信部３１３によって決定通知信号が受信された場合、駆けつけ候補者が安否確認対象者の住居に駆けつける駆けつけ者に決定されたことを駆けつけ候補者に通知するための決定通知画面を表示部３４に表示する。
【００８９】
また、表示制御部３２１は、決定通知信号受信部３１３によって未決定通知信号が受信された場合、駆けつけ候補者が安否確認対象者の住居に駆けつける駆けつけ者に決定されなかったことを駆けつけ候補者に通知するための未決定通知画面を表示部３４に表示する。
【００９０】
また、表示制御部３２１は、駆けつけ候補者が安否確認対象者の住居に駆けつける駆けつけ者に決定したことを駆けつけ候補者に通知するための決定通知画面を表示した後、駆けつけ候補者が安否確認対象者の位置に到着したことを入力するための到着完了入力画面を表示する。到着完了入力画面は、駆けつけ候補者が安否確認対象者の位置に到着したことを入力するためのボタンを含む。
【００９１】
入力受付部３３は、駆けつけ候補者が安否確認対象者の位置に到着したことの駆けつけ候補者による入力を受け付ける。駆けつけ候補者は、安否確認対象者の位置に到着した場合、到着完了入力画面において、駆けつけ候補者が安否確認対象者の位置に到着したことを入力するためのボタンを押下する。
【００９２】
到着通知信号送信部３１４は、駆けつけ候補者が安否確認対象者の位置に到着したことを通知するための到着通知信号をサーバ２へ送信する。到着通知信号送信部３１４は、入力受付部３３によって、駆けつけ候補者が安否確認対象者の位置に到着したことが入力されると、到着通知信号をサーバ２へ送信する。
【００９３】
パスワード受信部３１５は、鍵管理装置４によって送信されたパスワードを受信する。
【００９４】
表示制御部３２１は、パスワード受信部３１５によって受信されたパスワードを提示する。表示制御部３２１は、パスワード受信部３１５によって受信されたパスワードを表示部３４に表示する。
【００９５】
図５は、本開示の実施の形態１における鍵管理装置の構成を示す図である。図５に示す鍵管理装置４は、通信部４１及び制御部４２を備える。
【００９６】
通信部４１は、パスワード発行依頼信号受信部４１１、連絡先情報受信部４１２、パスワード送信部４１３、パスワード受信部４１４及び判断結果送信部４１５を備える。制御部４２は、例えばＣＰＵであり、パスワード発行部４２１及びパスワード判断部４２２を備える。
【００９７】
パスワード発行依頼信号受信部４１１は、サーバ２によって送信されたパスワード発行依頼信号を受信する。
【００９８】
パスワード発行部４２１は、電気錠装置５の電気錠を解錠するためのパスワードを発行する。なお、パスワード発行部４２１が発行するパスワードは、１度限り有効であるワンタイムパスワードである。また、パスワード発行部４２１は、対象者が電気錠の解錠に通常用いるパスワードとは異なるパスワードを発行する。また、パスワード発行部４２１は、所定のアルゴリズムに基づいてパスワードを生成する。
【００９９】
連絡先情報受信部４１２は、サーバ２によって送信された１の駆けつけ候補者の端末装置３の連絡先情報を受信する。
【０１００】
パスワード送信部４１３は、連絡先情報受信部４１２によって受信された連絡先情報に基づいて、１の駆けつけ候補者の端末装置３へ、パスワード発行部４２１によって発行されたパスワードを送信する。
【０１０１】
パスワード受信部４１４は、電気錠装置５によって送信されたパスワードを受信する。電気錠装置５によって送信されたパスワードは、１の駆けつけ候補者によって入力されたパスワードである。
【０１０２】
パスワード判断部４２２は、パスワード受信部４１４によって受信された１の駆けつけ候補者によって入力されたパスワードが、パスワード発行部４２１によって発行されたパスワードと一致するか否かを判断する。
【０１０３】
判断結果送信部４１５は、パスワード判断部４２２による判断結果を電気錠装置５へ送信する。判断結果送信部４１５は、パスワード判断部４２２によって、入力されたパスワードが、パスワード発行部４２１によって発行されたパスワードと一致すると判断された場合、電気錠を解錠するための解錠信号を判断結果として電気錠装置５へ送信する。また、判断結果送信部４１５は、パスワード判断部４２２によって、入力されたパスワードが、パスワード発行部４２１によって発行されたパスワードと一致しないと判断された場合、入力されたパスワードが間違っていることを駆けつけ候補者に通知するためのパスワード不一致信号を判断結果として電気錠装置５へ送信する。
【０１０４】
図６は、本開示の実施の形態１における電気錠装置の構成を示す図である。図６に示す電気錠装置５は、通信部５１、制御部５２、パスワード入力受付部５３及び電気錠５４を備える。
【０１０５】
通信部５１は、パスワード送信部５１１及び判断結果受信部５１２を備える。制御部５２は、例えばＣＰＵであり、錠制御部５２１を備える。
【０１０６】
パスワード入力受付部５３は、例えばテンキーを含む操作ボタンであり、住居に住んでいる対象者によるパスワードの入力を受け付けるとともに、少なくとも１の駆けつけ候補者のうちの１の駆けつけ候補者によるパスワードの入力を受け付ける。１の駆けつけ候補者は、端末装置３に表示されたパスワードをパスワード入力受付部５３に入力する。なお、居住者が使用するパスワードと、１の駆けつけ候補者が使用するパスワードとは異なる。
【０１０７】
電気錠５４は、安否確認対象者の住居の玄関の扉に設けられ、錠制御部５２１からの制御信号に基づいて施錠又は解錠される。
【０１０８】
パスワード送信部５１１は、パスワード入力受付部５３によって受け付けられたパスワードを鍵管理装置４へ送信する。
【０１０９】
判断結果受信部５１２は、鍵管理装置４によって送信された判断結果を受信する。判断結果受信部５１２は、電気錠を解錠するための解錠信号と、入力されたパスワードが間違っていることを１の駆けつけ候補者に通知するためのパスワード不一致信号とのいずれかを判断結果として鍵管理装置４から受信する。
【０１１０】
錠制御部５２１は、判断結果受信部５１２によって受信された判断結果が、パスワード入力受付部５３によって受け付けられたパスワードが、パスワード発行部４２１によって発行されたパスワードと一致するという判断結果である場合、電気錠５４を解錠する。すなわち、錠制御部５２１は、判断結果受信部５１２によって解錠信号が受信された場合、電気錠５４を解錠する。
【０１１１】
また、錠制御部５２１は、判断結果受信部５１２によって受信された判断結果が、パスワード入力受付部５３によって受け付けられたパスワードが、パスワード発行部４２１によって発行されたパスワードと一致しないという判断結果である場合、入力されたパスワードが間違っていることを１の駆けつけ候補者に通知する。すなわち、錠制御部５２１は、判断結果受信部５１２によってパスワード不一致信号が受信された場合、電気錠５４を解錠せずに、入力されたパスワードが間違っていることを１の駆けつけ候補者に通知する。パスワードが間違っていることは、不図示の表示部を用いて通知してもよいし、不図示のスピーカを用いて通知してもよい。
【０１１２】
なお、鍵管理装置４は、居住者によって予め入力されたパスワードを記憶部（不図示）に記憶してもよい。そして、鍵管理装置４は、パスワード送信部５１１によって送信されたパスワードと、記憶部に予め記憶している居住者によって予め入力されたパスワードとが一致するか否かを判断し、判断結果を電気錠装置５へ送信してもよい。錠制御部５２１は、判断結果受信部５１２によって受信された判断結果が、パスワード入力受付部５３によって受け付けられたパスワードが、鍵管理装置４に予め登録されているパスワードと一致するという判断結果である場合、電気錠５４を解錠してもよい。
【０１１３】
また、電気錠装置５は、居住者によって予め入力されたパスワードを記憶部（不図示）に記憶してもよい。この場合、錠制御部５２１は、パスワード入力受付部５３によって受け付けられたパスワードが、記憶部に予め登録されたパスワードと一致するか否かを判断してもよい。そして、錠制御部５２１は、パスワード入力受付部５３によって受け付けられたパスワードが、記憶部に予め登録されたパスワードと一致すると判断した場合、電気錠５４を解錠してもよい。また、パスワード送信部５１１は、パスワード入力受付部５３によって受け付けられたパスワードが、記憶部に予め登録されたパスワードと一致しないと錠制御部５２１によって判断された場合、受け付けられたパスワードを鍵管理装置４へ送信してもよい。
【０１１４】
また、電気錠５４は、扉が閉じられると自動的に施錠してもよい。また、電気錠５４は、居住者によるパスワードの入力が受け付けられることにより、施錠してもよい。
【０１１５】
続いて、本実施の形態１における情報処理システムの動作について説明する。
【０１１６】
図７は、本開示の実施の形態１における生体情報測定装置の動作について説明するためのフローチャートである。
【０１１７】
まず、ステップＳ１において、生体情報測定装置１の生体情報測定部１１は、安否確認対象者の生体情報を測定する。
【０１１８】
次に、ステップＳ２において、位置情報測定部１２は、生体情報測定装置１の現在位置を示す位置情報を測定する。
【０１１９】
次に、ステップＳ３において、通信部１４は、生体情報測定部１１によって測定された生体情報と、位置情報測定部１２によって測定された位置情報とをサーバ２へ送信する。そして、ステップＳ１に処理が戻る。
【０１２０】
図８は、本開示の実施の形態１におけるサーバの動作について説明するためのフローチャートである。
【０１２１】
まず、ステップＳ１１において、サーバ２の生体情報受信部２１１は、生体情報測定装置１によって送信された生体情報及び位置情報を取得する。
【０１２２】
次に、ステップＳ１２において、安否確認判断部２３１は、生体情報受信部２１１によって取得された生体情報に基づいて、対象者の安否確認が必要であるか否かを判断する。ここで、対象者の安否確認が必要ではないと判断された場合（ステップＳ１２でＮＯ）、ステップＳ１１に処理が戻る。
【０１２３】
一方、対象者の安否確認が必要であると判断された場合（ステップＳ１２でＹＥＳ）、ステップＳ１３において、緊急通報部２３２は、記憶部２２の登録者ＤＢ２２１を参照し、生体情報受信部２１１によって取得された位置情報で示される安否確認対象者の位置の近傍にいる少なくとも１の駆けつけ候補者を特定する。緊急通報部２３２は、緊急通報部２３２によって特定された少なくとも１の駆けつけ候補者のそれぞれに対応付けられている連絡先情報を登録者ＤＢ２２１から抽出する。
【０１２４】
次に、ステップＳ１４において、緊急信号送信部２１２は、緊急通報部２３２によって抽出された連絡先情報に対応する端末装置３へ緊急信号を送信する。
【０１２５】
次に、ステップＳ１５において、駆けつけ可能信号受信部２１３は、安否確認対象者の位置へ駆けつけることが可能な駆けつけ候補者の端末装置３によって送信された、駆けつけ候補者が安否確認対象者の位置へ駆けつけることが可能であることを示す駆けつけ可能信号を受信する。
【０１２６】
次に、ステップＳ１６において、駆けつけ者決定部２３３は、緊急信号を送信してから所定時間が経過したか否かを判断する。駆けつけ者決定部２３３は、緊急信号を送信してからの経過時間を計測している。なお、所定時間は、例えば３０秒であり、迅速な対応が必要であるため、例えば１分以内などのより短い時間が好ましい。ここで、所定時間が経過していないと判断された場合（ステップＳ１６でＮＯ）、ステップＳ１５に処理が戻る。駆けつけ可能信号受信部２１３は、緊急信号を送信してから所定時間が経過するまで、少なくとも１の駆けつけ候補者の端末装置３によって送信された駆けつけ可能信号を受信する。
【０１２７】
一方、所定時間が経過したと判断された場合（ステップＳ１６でＹＥＳ）、ステップＳ１７において、駆けつけ者決定部２３３は、駆けつけ可能信号受信部２１３によって受信された少なくとも１の駆けつけ可能信号に基づいて、少なくとも１の駆けつけ候補者のうちの１の駆けつけ候補者を、安否確認対象者の住居に駆けつける駆けつけ者に決定する。駆けつけ者決定部２３３は、駆けつけ可能信号を送信した少なくとも１の駆けつけ候補者のうち、到着予定時間が最も短い１の駆けつけ候補者を駆けつけ者に決定する。
【０１２８】
次に、ステップＳ１８において、決定通知信号送信部２１４は、駆けつけ者決定部２３３によって駆けつけ者に決定された１の駆けつけ候補者の端末装置３へ、駆けつけ者に決定されたことを通知するための決定通知信号を送信する。
【０１２９】
次に、ステップＳ１９において、決定通知信号送信部２１４は、駆けつけ可能信号を送信した少なくとも１の駆けつけ候補者のうち、駆けつけ者に決定されなかった残りの駆けつけ候補者の端末装置３へ、駆けつけ者に決定されなかったことを通知するための未決定通知信号を送信する。
【０１３０】
次に、ステップＳ２０において、パスワード発行依頼信号送信部２１５は、駆けつけ者決定部２３３によって決定された１の駆けつけ候補者が電気錠を解錠するためのパスワードの発行を依頼するパスワード発行依頼信号を鍵管理装置４へ送信する。
【０１３１】
次に、ステップＳ２１において、到着通知信号受信部２１６は、決定した１の駆けつけ候補者の端末装置３から、１の駆けつけ候補者が安否確認対象者の位置に到着したことを通知するための到着通知信号を受信する。到着通知信号受信部２１６は、到着通知信号を受信するまで待機する。
【０１３２】
なお、駆けつけ者決定部２３３は、決定通知信号を送信してからの経過時間を計測し、決定通知信号を送信してから所定時間が経過したか否かを判断してもよい。そして、所定時間が経過するまでに到着通知信号が受信されなかった場合、駆けつけ者決定部２３３は、決定通知信号を送信した駆けつけ候補者以外の残りの駆けつけ候補者のうち、１の駆けつけ候補者を駆けつけ者に決定してもよい。
【０１３３】
次に、ステップＳ２２において、連絡先情報送信部２１７は、駆けつけ者決定部２３３によって決定された１の駆けつけ候補者に対応付けられている連絡先情報を鍵管理装置４へ送信する。そして、ステップＳ１１に処理が戻る。
【０１３４】
なお、本実施の形態１では、駆けつけ者決定部２３３は、駆けつけ可能信号受信部２１３によって受信された少なくとも１の駆けつけ可能信号に基づいて、少なくとも１の駆けつけ候補者のうちの１の駆けつけ候補者を駆けつけ者に決定しているが、本開示は特にこれに限定されず、少なくとも１の駆けつけ候補者のうちの複数の駆けつけ候補者を駆けつけ者に決定してもよい。例えば、複数の駆けつけ候補者からの駆けつけ可能信号が受信された場合、駆けつけ者決定部２３３は、複数の駆けつけ候補者のうち、到着予定時間が最も短い駆けつけ候補者と到着予定時間が２番目に短い駆けつけ候補者とを駆けつけ者に決定してもよい。これにより、１の駆けつけ候補者が何らかの理由により対象者の住居に行くことができなくなった場合であっても、他の駆けつけ候補者が対象者の住居に行くことができ、不測の事態にも対処することができる。
【０１３５】
また、本実施の形態１では、パスワード発行依頼信号送信部２１５は、到着通知信号を受信する前に、パスワード発行依頼信号を鍵管理装置４へ送信しているが、本開示は特にこれに限定されず、到着通知信号を受信した場合に、パスワード発行依頼信号を鍵管理装置４へ送信してもよい。また、本実施の形態１では、パスワード発行依頼信号と連絡先情報とが個別に送信されるが、本開示は特にこれに限定されず、パスワード発行依頼信号送信部２１５は、連絡先情報を含めたパスワード発行依頼信号を送信してもよい。
【０１３６】
また、本実施の形態１では、対象者の安否確認が必要であると判断された場合、緊急通報部２３２は、記憶部２２の登録者ＤＢ２２１を参照し、生体情報受信部２１１によって取得された位置情報で示される安否確認対象者の位置の近傍にいる少なくとも１の駆けつけ候補者を特定しているが、本開示は特にこれに限定されず、対象者の安否確認が必要であると判断された場合、通信部２１は、管理者が利用する端末装置へ、安否確認対象者の氏名及び電話番号を含む安否確認対象者に関する情報を送信してもよい。管理者が利用する端末装置は、安否確認対象者に関する情報を受信し、受信した安否確認対象者に関する情報を管理者に提示する。
【０１３７】
そして、管理者は、安否確認対象者に電話を掛け、駆けつけ候補者による駆けつけを希望するか否かを安否確認対象者に確認する。駆けつけ候補者による駆けつけを希望する旨の回答があった場合、又は、安否確認対象者が電話に出ない場合、管理者は、対象者の安否確認が必要であることを通知するための安否確認要求指示を端末装置に入力する。管理者が利用する端末装置は、管理者による安否確認要求指示の入力を受け付ける。安否確認要求指示が入力された場合、端末装置は、安否確認要求指示信号をサーバ２へ送信する。そして、サーバ２は、端末装置によって送信された安否確認要求指示信号を受信する。安否確認要求指示信号が受信された場合、緊急通報部２３２は、記憶部２２の登録者ＤＢ２２１を参照し、生体情報受信部２１１によって取得された位置情報で示される安否確認対象者の位置の近傍にいる少なくとも１の駆けつけ候補者を特定する。
【０１３８】
なお、駆けつけ候補者による駆けつけを希望しない旨の回答があった場合、管理者は、対象者の安否確認が不要であることを通知するための安否確認不要指示を端末装置に入力する。管理者が利用する端末装置は、管理者による安否確認不要指示の入力を受け付ける。安否確認不要指示が入力された場合、端末装置は、安否確認不要指示信号をサーバ２へ送信する。そして、サーバ２は、端末装置によって送信された安否確認不要指示信号を受信する。安否確認不要指示信号が受信された場合、緊急通報部２３２による少なくとも１の駆けつけ候補者の特定は行われない。
【０１３９】
図９は、本開示の実施の形態１における端末装置の動作について説明するためのフローチャートである。
【０１４０】
まず、ステップＳ３１において、端末装置３の緊急信号受信部３１１は、サーバ２によって送信された緊急信号を受信する。
【０１４１】
次に、ステップＳ３２において、表示制御部３２１は、安否確認対象者の位置を駆けつけ候補者に提示するとともに、安否確認対象者の位置に駆けつけ可能であるか否かと、駆けつけ候補者が安否確認対象者の位置に到着するまでの到着予定時間との駆けつけ候補者による入力を受け付けるための駆けつけ確認画面を表示部３４に表示する。
【０１４２】
次に、ステップＳ３３において、入力受付部３３は、駆けつけ候補者が安否確認対象者の位置に駆けつけ可能であるか否かと、駆けつけ候補者が安否確認対象者の位置に到着するまでの到着予定時間との駆けつけ候補者による入力を受け付ける。
【０１４３】
次に、ステップＳ３４において、制御部３２は、駆けつけ候補者が安否確認対象者の位置に駆けつけ可能であるか否かを判断する。すなわち、制御部３２は、表示部３４に表示される駆けつけ確認画面において、駆けつけ候補者が安否確認対象者の位置に駆けつけ可能であると入力されたか否かを判断する。
【０１４４】
ここで、駆けつけ候補者が安否確認対象者の位置に駆けつけ可能ではないと判断された場合、すなわち、安否確認対象者の位置に駆けつけることが不可能であると駆けつけ候補者により入力された場合（ステップＳ３４でＮＯ）、処理が終了する。
【０１４５】
一方、駆けつけ候補者が安否確認対象者の位置に駆けつけ可能であると判断された場合、すなわち、安否確認対象者の位置に駆けつけることが可能であると駆けつけ候補者により入力された場合（ステップＳ３４でＹＥＳ）、ステップＳ３５において、駆けつけ可能信号送信部３１２は、駆けつけ候補者が安否確認対象者の位置へ駆けつけ可能であることを示す駆けつけ可能信号をサーバ２へ送信する。
【０１４６】
次に、ステップＳ３６において、決定通知信号受信部３１３は、駆けつけ者に決定されたことを通知するための決定通知信号又は駆けつけ者に決定されなかったことを通知するための未決定通知信号をサーバ２から受信する。すなわち、駆けつけ候補者が、駆けつけ者に決定された場合は決定通知信号が受信され、駆けつけ者に決定されなかった場合は未決定通知信号が受信される。
【０１４７】
次に、ステップＳ３７において、制御部３２は、決定通知信号受信部３１３によって決定通知信号が受信されたか否かを判断する。
【０１４８】
ここで、決定通知信号が受信されていないと判断された場合、すなわち、未決定通知信号が受信されたと判断された場合（ステップＳ３７でＮＯ）、ステップＳ３８において、表示制御部３２１は、駆けつけ候補者が安否確認対象者の住居に駆けつける駆けつけ者に決定されず、他の駆けつけ候補者が駆けつけ者に決定されたことを駆けつけ候補者に通知するための未決定通知画面を表示部３４に表示する。
【０１４９】
一方、決定通知信号が受信されたと判断された場合（ステップＳ３７でＹＥＳ）、ステップＳ３９において、表示制御部３２１は、駆けつけ候補者が安否確認対象者の位置に駆けつける駆けつけ者に決定されたことを駆けつけ候補者に通知するための決定通知画面を表示部３４に表示する。
【０１５０】
そして、駆けつけ者に決定されたことを確認した駆けつけ候補者は、安否確認対象者の位置に向かって移動する。表示制御部３２１は、決定通知画面を表示した後、駆けつけ候補者が安否確認対象者の位置に到着したことを入力するための到着完了入力画面を表示する。入力受付部３３は、駆けつけ候補者が安否確認対象者の位置に到着したことの駆けつけ候補者による入力を受け付ける。
【０１５１】
次に、ステップＳ４０において、到着通知信号送信部３１４は、駆けつけ候補者が安否確認対象者の位置に到着したことを通知するための到着通知信号をサーバ２へ送信する。
【０１５２】
次に、ステップＳ４１において、パスワード受信部３１５は、鍵管理装置４によって送信されたパスワードを受信する。パスワードは、安否確認対象者の住居の扉の電気錠を解錠するための暗証番号である。
【０１５３】
次に、ステップＳ４２において、表示制御部３２１は、パスワード受信部３１５によって受信されたパスワードを表示部３４に表示する。表示部３４に表示されたパスワードを見た駆けつけ候補者は、パスワードを電気錠装置５に入力する。
【０１５４】
なお、本実施の形態１において、サーバ２は、決定通知信号のみを端末装置３へ送信し、未決定通知信号を端末装置３へ送信しなくてもよい。この例では、表示制御部３２１は、駆けつけ可能信号を送信してからの経過時間を計測してもよい。そして、ステップＳ３７において決定通知信号が受信されていないと判断された場合、表示制御部３２１は、駆けつけ可能信号を送信してから所定時間が経過したか否かを判断してもよい。ここで、所定時間が経過していないと判断された場合、ステップＳ３６に処理が戻る。一方、所定時間が経過したと判断された場合、表示制御部３２１は、未決定通知画面を表示部３４に表示する。
【０１５５】
図１０は、本開示の実施の形態１における鍵管理装置の動作について説明するためのフローチャートである。
【０１５６】
まず、ステップＳ５１において、鍵管理装置４のパスワード発行依頼信号受信部４１１は、サーバ２によって送信されたパスワード発行依頼信号を受信する。
【０１５７】
次に、ステップＳ５２において、パスワード発行部４２１は、安否確認対象者の住居に設置された電気錠装置５の電気錠を解錠するためのパスワードを発行する。
【０１５８】
次に、ステップＳ５３において、連絡先情報受信部４１２は、サーバ２によって送信された、駆けつけ者に決定された駆けつけ候補者の端末装置３の連絡先情報を受信する。
【０１５９】
次に、ステップＳ５４において、パスワード送信部４１３は、連絡先情報受信部４１２によって受信された連絡先情報に対応する駆けつけ候補者の端末装置３へ、パスワード発行部４２１によって発行されたパスワードを送信する。
【０１６０】
次に、ステップＳ５５において、パスワード受信部４１４は、駆けつけ候補者によって入力されたパスワードを電気錠装置５から受信する。
【０１６１】
次に、ステップＳ５６において、パスワード判断部４２２は、パスワード受信部４１４によって受信された駆けつけ候補者によって入力されたパスワードが、パスワード発行部４２１によって発行されたパスワードと一致するか否かを判断する。
【０１６２】
ここで、入力されたパスワードが、発行されたパスワードと一致すると判断された場合（ステップＳ５６でＹＥＳ）、ステップＳ５７において、判断結果送信部４１５は、電気錠を解錠するための解錠信号を電気錠装置５へ送信する。
【０１６３】
一方、入力されたパスワードが、発行されたパスワードと一致しないと判断された場合（ステップＳ５６でＮＯ）、ステップＳ５８において、判断結果送信部４１５は、入力されたパスワードが間違っていることを駆けつけ候補者に通知するためのパスワード不一致信号を電気錠装置５へ送信する。そして、処理がステップＳ５５に戻る。
【０１６４】
なお、ステップＳ５８において、パスワード不一致信号が電気錠装置５へ送信された後、パスワード判断部４２２は、入力されたパスワードが、発行されたパスワードと一致しないと判断された回数が、所定回数に達したか否かを判断してもよい。なお、不図示の記憶部は、発行されたパスワードと、発行されたパスワードに対して一致しないと判断された回数とを対応付けて記憶してもよい。所定回数は、例えば３回である。入力されたパスワードが、発行されたパスワードと一致しないと判断された回数が、所定回数に達したと判断された場合、処理が終了してもよい。また、入力されたパスワードが、発行されたパスワードと一致しないと判断された回数が、所定回数に達していないと判断された場合、処理がステップＳ５５に戻ってもよい。これにより、パスワードの入力に所定回数失敗した場合、処理が終了することになる。
【０１６５】
また、発行されたパスワードに有効期限を設定してもよい。例えば、パスワードを発行してからの経過時間又は発行されたパスワードを送信してからの経過時間を計測し、経過時間が所定の時間を超えるまでに、入力されたパスワードが発行されたパスワードと一致すると判断されない場合、発行されたパスワードを破棄してもよい。所定の時間は、例えば、１分である。これにより、パスワードに対するセキュリティを高めることができる。
【０１６６】
また、本実施の形態１では、パスワード送信部４１３は、パスワード発行部４２１によって発行されたパスワードを端末装置３へ送信しているが、本開示は特にこれに限定されず、パスワード送信部４１３は、パスワード発行部４２１によって発行されたパスワードをサーバ２へ送信してもよい。この場合、駆けつけ者に決定された駆けつけ候補者の端末装置３の連絡先情報を受信する連絡先情報受信部４１２は不要となる。サーバ２は、鍵管理装置４によって送信されたパスワードを受信する。そして、到着通知信号が受信された場合、サーバ２は、連絡先情報に対応する駆けつけ候補者の端末装置３へ、パスワードを送信する。これにより、サーバ２が連絡先情報を鍵管理装置４へ送信しないので、連絡先情報に対するセキュリティを高めることができる。
【０１６７】
図１１は、本開示の実施の形態１における電気錠装置の動作について説明するためのフローチャートである。
【０１６８】
まず、ステップＳ７１において、電気錠装置５のパスワード入力受付部５３は、駆けつけ候補者によるパスワードの入力を受け付ける。
【０１６９】
次に、ステップＳ７２において、パスワード送信部５１１は、駆けつけ候補者によって入力されたパスワードを鍵管理装置４へ送信する。
【０１７０】
次に、ステップＳ７３において、判断結果受信部５１２は、判断結果受信部５１２は、解錠信号又はパスワード不一致信号を鍵管理装置４から受信する。
【０１７１】
次に、ステップＳ７４において、錠制御部５２１は、判断結果受信部５１２によって解錠信号が受信されたか否かを判断する。ここで、解錠信号が受信されたと判断された場合（ステップＳ７４でＹＥＳ）、錠制御部５２１は、電気錠５４を解錠する。
【０１７２】
一方、解錠信号が受信されていないと判断された場合、すなわちパスワード不一致信号が受信された場合（ステップＳ７４でＮＯ）、ステップＳ７６において、錠制御部５２１は、入力されたパスワードが間違っていることを駆けつけ候補者に通知する。そして、処理がステップＳ７１に戻る。なお、錠制御部５２１は、入力されたパスワードが間違っていることを通知する画像を不図示の表示部に表示してもよいし、入力されたパスワードが間違っていることを通知する音声を不図示のスピーカから出力してもよい。
【０１７３】
なお、ステップＳ７６において、入力されたパスワードが間違っていることが駆けつけ候補者に通知された後、錠制御部５２１は、パスワード不一致信号が受信された回数が所定回数に達したか否かを判断してもよい。なお、不図示の記憶部は、発行されたパスワードと、パスワード不一致信号が受信された回数を記憶してもよい。所定回数は、例えば３回である。そして、パスワード不一致信号が受信された回数が所定回数に達したと判断された場合、処理が終了してもよい。また、パスワード不一致信号が受信された回数が所定回数に達していないと判断された場合、処理がステップＳ７１に戻ってもよい。これにより、パスワードの入力に所定回数失敗した場合、処理が終了することになる。
【０１７４】
このように、安否確認が必要な対象者の位置の近傍にいる少なくとも１の駆けつけ候補者の所有する端末装置３へ、対象者の位置を含むとともに対象者の安否確認を要請するための緊急信号が送信されるので、少なくとも１の駆けつけ候補者は、安否確認が必要な対象者の位置に迅速に駆けつけることができる。また、少なくとも１の駆けつけ候補者が電気錠を解錠するためのパスワードの発行が依頼されるので、パスワードが発行される駆けつけ候補者の数を減らすことができる。その結果、迅速な救急対応と、高いセキュリティレベルの維持とを両立させることができる。
【０１７５】
（実施の形態２）
実施の形態１では、安否確認対象者が在宅しているか否かについては特に考慮することなく安否確認処理が行われるが、実施の形態２では、安否確認対象者が在宅している場合に安否確認処理が行われる。
【０１７６】
図１２は、本開示の実施の形態２に係る情報処理システムの構成の一例を示す図である。図１２に示す情報処理システムは、生体情報測定装置１、サーバ２Ａ、端末装置３、鍵管理装置４、電気錠装置５及びカメラ７を備える。なお、本実施の形態２において、実施の形態１と同じ構成については、同じ符号を付し、説明を省略する。
【０１７７】
サーバ２Ａは、生体情報測定装置１、端末装置３、鍵管理装置４及びカメラ７のそれぞれとネットワーク６を介して互いに通信可能に接続されている。
【０１７８】
カメラ７は、安否確認対象者の住居内に設置され、住居内を撮影する。なお、本実施の形態２における情報処理システムは、１つのカメラ７を備えるのではなく、複数のカメラ７を備えてもよい。
【０１７９】
図１３は、本開示の実施の形態２におけるカメラの構成を示す図である。図１３に示すカメラ７は、撮影部７１、制御部７２及び通信部７３を備える。
【０１８０】
撮影部７１は、住居内を撮影する。撮影部７１は、所定の時間間隔（例えば、１秒間隔）で撮影する。カメラ７は、例えば、部屋の天井又は壁に設置される。制御部７２は、例えばＣＰＵであり、カメラ７全体を制御する。
【０１８１】
通信部７３は、撮影部７１によって撮影された撮影画像をサーバ２Ａへ送信する。なお、本実施の形態２では、通信部７３は、所定の時間間隔で撮影された静止画像をサーバ２Ａへ所定の時間間隔（例えば、１秒間隔）で送信するが、本開示は特にこれに限定されず、動画像をサーバ２Ａへ送信してもよい。
【０１８２】
図１４は、本開示の実施の形態２におけるサーバの構成を示す図である。図１４に示すサーバ２Ａは、通信部２１Ａ、記憶部２２及び制御部２３Ａを備える。
【０１８３】
通信部２１Ａは、生体情報受信部２１１、緊急信号送信部２１２、駆けつけ可能信号受信部２１３、決定通知信号送信部２１４、パスワード発行依頼信号送信部２１５、到着通知信号受信部２１６、連絡先情報送信部２１７及び画像受信部２１８を備える。制御部２３Ａは、例えば、ＣＰＵであり、安否確認判断部２３１、緊急通報部２３２Ａ、駆けつけ者決定部２３３及び在宅判断部２３４を備える。
【０１８４】
画像受信部２１８は、カメラ７から、住居内を撮影した画像を取得する。
【０１８５】
在宅判断部２３４は、安否確認対象者が住居内にいるか否かを判断する。在宅判断部２３４は、画像受信部２１８によって取得された画像に安否確認対象者が含まれておらず、かつ生体情報測定装置１により生体情報が測定されない場合、安否確認対象者が住居内にいないと判断する。また、在宅判断部２３４は、画像受信部２１８によって取得された画像に安否確認対象者が含まれている場合、又は生体情報測定装置１により生体情報が測定されている場合、安否確認対象者が住居内にいると判断する。なお、生体情報測定装置１は、例えば、ドップラーセンサであり、非接触で生体情報を測定する。
【０１８６】
緊急通報部２３２Ａは、安否確認対象者が住居内にいないと判断された場合、緊急信号を送信しない。すなわち、緊急通報部２３２Ａは、安否確認判断部２３１によって対象者の安否確認が必要であると判断されたとしても、安否確認対象者が住居内にいないと判断された場合は、緊急信号を送信しない。
【０１８７】
また、緊急通報部２３２Ａは、安否確認判断部２３１によって対象者の安否確認が必要であると判断され、かつ在宅判断部２３４によって対象者が住居内にいると判断されたた場合、記憶部２２の登録者ＤＢ２２１を参照し、取得した位置情報で示される対象者の位置の近傍にいる少なくとも１の駆けつけ候補者の所有する端末装置３へ、対象者の位置を含むとともに対象者の安否確認を要請するための緊急信号を送信する。
【０１８８】
図１５は、本開示の実施の形態２におけるサーバの動作について説明するためのフローチャートである。
【０１８９】
なお、ステップＳ８１の処理は、図８に示すステップＳ１１の処理と同じであるので説明を省略する。
【０１９０】
次に、ステップＳ８２において、画像受信部２１８は、カメラ７によって撮影された安否確認対象の住居内の画像を取得する。
【０１９１】
次に、ステップＳ８３において、在宅判断部２３４は、生体情報受信部２１１によって受信された生体情報及び画像受信部２１８によって取得された画像に基づいて、安否確認対象者が住居内にいるか否かを判断する。在宅判断部２３４は、画像受信部２１８によって取得された画像に対象者が含まれておらず、かつ生体情報測定装置１により生体情報が測定されない場合、安否確認対象者が住居内にいないと判断する。また、在宅判断部２３４は、画像受信部２１８によって取得された画像に対象者が含まれている場合、又は生体情報測定装置１により生体情報が測定されている場合、安否確認対象者が住居内にいると判断する。
【０１９２】
なお、在宅判断部２３４は、画像受信部２１８によって取得された画像のみに基づいて、安否確認対象者が住居内にいるか否かを判断してもよい。すなわち、在宅判断部２３４は、画像受信部２１８によって取得された画像に対象者が含まれていない場合、安否確認対象者が住居内にいないと判断してもよい。また、在宅判断部２３４は、画像受信部２１８によって取得された画像に安否確認対象者が含まれている場合、安否確認対象者が住居内にいると判断してもよい。画像に安否確認対象者が含まれているか否かの判断は、予め記憶部２２に記憶されている安否確認対象者の顔画像と照合することにより行われる。
【０１９３】
ここで、安否確認対象者が住居内にいないと判断された場合（ステップＳ８３でＮＯ）、ステップＳ８１に処理が戻る。
【０１９４】
一方、安否確認対象者が住居内にいると判断された場合（ステップＳ８３でＹＥＳ）、ステップＳ８４において、安否確認判断部２３１は、生体情報受信部２１１によって取得された生体情報に基づいて、対象者の安否確認が必要であるか否かを判断する。
【０１９５】
なお、ステップＳ８４〜ステップＳ９４の処理は、図８に示すステップＳ１２〜ステップＳ２２の処理と同じであるので説明を省略する。
【０１９６】
なお、本実施の形態２では、緊急通報部２３２Ａは、安否確認対象者が住居内にいないと判断された場合、緊急信号を送信しないが、本開示は特にこれに限定されず、安否確認判断部２３１は、安否確認対象者が住居内にいないと判断された場合、安否確認対象者の安否確認が必要であるか否かを判断しなくてもよい。生体情報測定装置１が非接触で生体情報を測定する場合、安否確認対象者が住居内にいなければ、生体情報測定装置１は生体情報を測定することができない。そのため、安否確認対象者が住居内にいない場合、対象者の安否確認が必要であるか否かの判断処理が不要となる。
【０１９７】
また、本実施の形態２において、情報処理システムは、カメラ７に替えて、赤外線、超音波又は可視光により人を検知する人感センサを備えてもよい。この場合、在宅判断部２３４は、生体情報受信部２１１によって受信された生体情報及び人感センサによる検知結果に基づいて、安否確認対象者が住居内にいるか否かを判断してもよい。在宅判断部２３４は、人感センサによって人が検知されておらず、かつ生体情報測定装置１により生体情報が測定されない場合、安否確認対象者が住居内にいないと判断する。また、在宅判断部２３４は、人感センサによって人が検知されている場合、又は生体情報測定装置１により生体情報が測定されている場合、安否確認対象者が住居内にいると判断する。
【０１９８】
また、生体情報測定装置１が非接触型のセンサである場合、在宅判断部２３４は、安否確認対象者が住居内にいるか否かの判断を行い、生体情報測定装置１が接触型のセンサである場合、在宅判断部２３４は、安否確認対象者が住居内にいるか否かの判断を行わなくてもよい。
【０１９９】
以上、本開示の装置について、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、本開示の一つまたは複数の態様の範囲内に含まれてもよい。
【０２００】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０２０１】
本開示の実施の形態に係る装置の機能の一部又は全ては典型的には集積回路であるＬＳＩ（Ｌａｒｇｅ  Ｓｃａｌｅ  Ｉｎｔｅｇｒａｔｉｏｎ）として実現される。これらは個別に１チップ化されてもよいし、一部又は全てを含むように１チップ化されてもよい。また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０２０２】
また、本開示の実施の形態に係る装置の機能の一部又は全てを、ＣＰＵ等のプロセッサがプログラムを実行することにより実現してもよい。
【０２０３】
また、上記で用いた数字は、全て本開示を具体的に説明するために例示するものであり、本開示は例示された数字に制限されない。
【０２０４】
また、上記フローチャートに示す各ステップが実行される順序は、本開示を具体的に説明するために例示するためのものであり、同様の効果が得られる範囲で上記以外の順序であってもよい。また、上記ステップの一部が、他のステップと同時（並列）に実行されてもよい。
【０２０５】
さらに、本開示の主旨を逸脱しない限り、本開示の各実施の形態に対して当業者が思いつく範囲内の変更を施した各種変形例も本開示に含まれる。
【産業上の利用可能性】
【０２０６】
本開示に係る情報処理方法、情報処理装置及び情報処理システムは、迅速な救急対応と、高いセキュリティレベルの維持とを両立させることができ、住居内にいる対象者の安否確認を駆けつけ候補者に対して要請する情報処理方法、情報処理装置及び情報処理システムとして有用である。
【符号の説明】
【０２０７】
１    生体情報測定装置
２，２Ａ    サーバ
３    端末装置
４    鍵管理装置
５    電気錠装置
６    ネットワーク
７    カメラ
１１    生体情報測定部
１２    位置情報測定部
１３    制御部
１４    通信部
２１，２１Ａ    通信部
２２    記憶部
２３，２３Ａ    制御部
３１    通信部
３２    制御部
３３    入力受付部
３４    表示部
４１    通信部
４２    制御部
５１    通信部
５２    制御部
５３    パスワード入力受付部
５４    電気錠
７１    撮影部
７２    制御部
７３    通信部
２１１    生体情報受信部
２１２    緊急信号送信部
２１３    可能信号受信部
２１４    決定通知信号送信部
２１５    パスワード発行依頼信号送信部
２１６    到着通知信号受信部
２１７    連絡先情報送信部
２１８    画像受信部
２２１    登録者ＤＢ
２３１    安否確認判断部
２３２，２３２Ａ    緊急通報部
２３３    者決定部
２３４    在宅判断部
３１１    緊急信号受信部
３１２    可能信号送信部
３１３    決定通知信号受信部
３１４    到着通知信号送信部
３１５    パスワード受信部
３２１    表示制御部
４１１    パスワード発行依頼信号受信部
４１２    連絡先情報受信部
４１３    パスワード送信部
４１４    パスワード受信部
４１５    判断結果送信部
４２１    パスワード発行部
４２２    パスワード判断部
５１１    パスワード送信部
５１２    判断結果受信部
５２１    錠制御部
【図１】
2019185189.tif 000003
【図２】
2019185189.tif 000004
【図３】
2019185189.tif 000005
【図４】
2019185189.tif 000006
【図５】
2019185189.tif 000007
【図６】
2019185189.tif 000008
【図７】
2019185189.tif 000009
【図８】
2019185189.tif 000010
【図９】
2019185189.tif 000011
【図１０】
2019185189.tif 000012
【図１１】
2019185189.tif 000013
【図１２】
2019185189.tif 000014
【図１３】
2019185189.tif 000015
【図１４】
2019185189.tif 000016
【図１５】
2019185189.tif 000017